(57)【特許請求の範囲】
【請求項１】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記第１描画画面および前記第２描画画面の一方に対し他方をスライドさせることによって、前記第１描画画面および前記第２描画画面の重なり具合を連続的に変化させ、
前記制御部が、前記タスク情報を表示するタスク描画画面における操作に連動させて、前記地図情報を表示する地図描画画面の描画オブジェクトを制御することを特徴とする、
地図表示装置。
【請求項２】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記第１描画画面および前記第２描画画面の一方に対し他方をスライドさせることによって、前記第１描画画面および前記第２描画画面の重なり具合を連続的に変化させ、
前記スライドに、
前記描画画面上の前記描画オブジェクトが、前記描画画面のスライドに連動してスライド方向に移動するボードスライドを含むことを特徴とする、
地図表示装置。
【請求項３】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記第１描画画面および前記第２描画画面の一方に対し他方をスライドさせることによって、前記第１描画画面および前記第２描画画面の重なり具合を連続的に変化させ、
前記スライドに、
前記表示部に表示される前記描画オブジェクトの位置が変化しないカーテンスライドを含むことを特徴とする、
地図表示装置。
【請求項４】
前記入力部と前記表示部とが、タッチパネル付き表示装置として一体に形成されることを特徴とする、
請求項１に記載の地図表示装置。
【請求項５】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記タスク情報を表示するタスク描画画面における操作に連動させて、前記地図情報を表示する地図描画画面の描画オブジェクトを制御し、
前記地図表示装置は、移動体に搭載され、
前記第１描画オブジェクトと前記第２描画オブジェクトとが表示する情報は、前記移動体の地図上の位置、前記移動体の移動経路、前記移動体の目的地のいずれかに関連する情報であることを特徴とする、
地図表示装置。
【請求項６】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記第１描画画面および前記第２描画画面の一方に対し他方をスライドさせることによって、前記第１描画画面および前記第２描画画面の重なり具合を連続的に変化させ、
前記第１描画画面は、あらかじめ設定された第１注目点を有し、
前記第２描画画面は、あらかじめ設定された第２注目点を有し、
前記第１描画画面および前記第２描画画面の重なり具合の制御に際し、前記第１注目点と前記第２注目点とが常に一致している、または、所定の重なり具合の場合にのみ前記第１注目点と前記第２注目点とが一致することを特徴とする、
地図表示装置。
【請求項７】
前記制御部が、前記第１描画画面および前記第２描画画面の全重ね状態から全ずれ状態まで、重なり具合を連続的に制御することを特徴とする、
請求項６に記載の地図表示装置。
【請求項８】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトのうち少なくとも一方が地図情報に関する描画オブジェクトを含み、
前記第１描画画面および前記第２描画画面は、同じまたは異なる大きさであって、
ユーザの描画画面表示に関する操作入力を受け付ける入力部と、
前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、
前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、
前記制御部が、前記第１描画画面および前記第２描画画面の一方に対し他方をスライドさせることによって、前記第１描画画面および前記第２描画画面の重なり具合を連続的に変化させ、
前記第２描画画面が前記第１描画画面より小さい場合、
前記全重ね状態とは、前記第１描画画面の所定範囲において、前記第２描画画面の全体が重なった状態であることを特徴とする、
地図表示装置。
【請求項９】
前記表示部は表示面を有し、
前記第１描画画面の大きさが前記表示面の全体に対応し、前記第２描画画面の大きさが前記表示面の全体または一部に対応することを特徴とする、
請求項１に記載の地図表示装置。
【発明の詳細な説明】
【技術分野】
【０００１】
本発明は、地図表示装置に関し、特に、複数の描画画面を表示面に表示する地図表示装置に関するものである。
【背景技術】
【０００２】
複数の描画画面を表示面に表示する地図表示方法として、例えば表示面を２つに分割し、それぞれの表示領域において、例えば車両の現在位置を中心とする地図描画画面を表示するものがあった（特許文献１参照）。ここで地図描画画面とは、地図を表示する場合の、道路線、文字、地形、建物、アイコン、背景色（透明、または半透明であってもよい）、付属する情報等のオブジェクトである描画オブジェクトを描画した画面のことであり、表示面とは、それらの地図描画画面を実際に表示するディスプレイのことである。地図描画画面は、表示面における所定の表示領域において、表示されることになる。【０００３】
当該地図表示方法によれば、例えば、一方の表示領域において経路誘導に関する地図描画画面を表示し、他方の表示領域においては異なる縮尺で同様の経路誘導に関する地図描画画面を表示することにより、また、タスク情報に関する描画オブジェクトを表示するタスク描画画面をどちらかの表示領域に表示することにより、ユーザにとって有益な地図表示方法を実現することが可能であった。ここで、タスク情報とは、地図情報とともに用いられることで特定のタスクを達成させる情報であり、地図上の位置に従った配置で表示されるものに限らない。【０００４】
また、特許文献１に示す地図表示方法では、左右の表示領域の境界を可変とすることで、その利便性をさらに高めている。
【先行技術文献】
【特許文献】
【０００５】
【特許文献１】特開２００１−１７４２７１号公報
【発明の概要】
【発明が解決しようとする課題】
【０００６】
しかし、上記のような地図表示方法によって同時に表示された複数の描画画面では、それぞれの描画画面に表示された描画オブジェクト同士の関係性の把握が、必ずしも容易でないという問題があった。【０００７】
例えば、車両の現在位置を示す描画画面同士において、一方を高速道路の地図描画画面、他方を一般道路の地図描画画面とするとき、また、一方を平面表示の地図描画画面、他方を周辺施設の５０音検索のタスク描画画面とするときでも、両表示領域に表示された描画画面における描画オブジェクトがどのように対応しているかを把握するには、ユーザが両表示領域を交互に見比べ、目印となる建物等を頼りに判断する必要があった。【０００８】
本発明は、上記のような問題を解決するためになされたものであり、複数の描画画面を表示する地図表示装置であって、描画画面における描画オブジェクト間の関係性の把握を容易にすることを可能とする地図表示装置の提供を目的とする。
【課題を解決するための手段】
【０００９】
本発明の一態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記制御部が、前記タスク情報を表示するタスク描画画面における操作に連動させて、前記地図情報を表示する地図描画画面の描画オブジェクトを制御することを特徴とする。
本発明の別の態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記スライドに、前記描画画面上の前記描画オブジェクトが、前記描画画面のスライドに連動してスライド方向に移動するボードスライドを含むことを特徴とする。
本発明の別の態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記スライドに、前記表示部に表示される前記描画オブジェクトの位置が変化しないカーテンスライドを含むことを特徴とする。
本発明の別の態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記タスク情報を表示するタスク描画画面における操作に連動させて、前記地図情報を表示する地図描画画面の描画オブジェクトを制御し、前記地図表示装置は、移動体に搭載され、前記第１描画オブジェクトと前記第２描画オブジェクトとが表示する情報は、前記移動体の地図上の位置、前記移動体の移動経路、前記移動体の目的地のいずれかに関連する情報であることを特徴とする。
本発明の別の態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記第１描画画面は、あらかじめ設定された第１注目点を有し、前記第２描画画面は、あらかじめ設定された第２注目点を有し、前記第１描画画面および前記第２描画画面の重なり具合の制御に際し、前記第１注目点と前記第２注目点とが常に一致している、または、所定の重なり具合の場合にのみ前記第１注目点と前記第２注目点とが一致することを特徴とする。
本発明の別の態様は、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記第２描画画面が前記第１描画画面より小さい場合、前記全重ね状態とは、前記第１描画画面の所定範囲において、前記第２描画画面の全体が重なった状態であることを特徴とする。
【発明の効果】
【００１１】
本発明の一態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記制御部が、前記タスク情報を表示するタスク描画画面における操作に連動させて、前記地図情報を表示する地図描画画面の描画オブジェクトを制御することにより、描画画面における描画オブジェクト間の関係性の把握を容易にすることを可能とする。
本発明の別の態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記スライドに、前記描画画面上の前記描画オブジェクトが、前記描画画面のスライドに連動してスライド方向に移動するボードスライドを含むことにより、描画画面における描画オブジェクト間の関係性の把握を容易にすることを可能とする。
本発明の別の態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記スライドに、前記表示部に表示される前記描画オブジェクトの位置が変化しないカーテンスライドを含むことにより、描画画面における描画オブジェクト間の関係性の把握を容易にすることを可能とする。
本発明の別の態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記タスク情報を表示するタスク描画画面における操作に連動させて、前記地図情報を表示する地図描画画面の描画オブジェクトを制御し、前記地図表示装置は、移動体に搭載され、前記第１描画オブジェクトと前記第２描画オブジェクトとが表示する情報は、前記移動体の地図上の位置、前記移動体の移動経路、前記移動体の目的地のいずれかに関連する情報であることにより、描画画面における描画オブジェクト間の関係性の把握を容易にすることを可能とする。
本発明の別の態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記第１描画画面は、あらかじめ設定された第１注目点を有し、前記第２描画画面は、あらかじめ設定された第２注目点を有し、前記第１描画画面および前記第２描画画面の重なり具合の制御に際し、前記第１注目点と前記第２注目点とが常に一致している、または、所定の重なり具合の場合にのみ前記第１注目点と前記第２注目点とが一致することにより、描画画面における描画オブジェクト間の関係性の把握を容易にすることを可能とする。
本発明の別の態様によれば、第１描画画面および第２描画画面を含む複数の描画画面を、少なくとも部分的に重ね表示可能な地図表示装置において、前記第１描画画面は、少なくとも１つの第１描画オブジェクトを表示し、前記第２描画画面は、少なくとも１つの第２描画オブジェクトを表示し、前記第１描画オブジェクトおよび前記第２描画オブジェクトのうち少なくとも一方が地図情報に関する描画オブジェクトを含み、前記第１描画画面および前記第２描画画面は、同じまたは異なる大きさであって、ユーザの描画画面表示に関する操作入力を受け付ける入力部と、前記入力部で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部に出力する制御部とを備え、前記第１描画オブジェクトおよび前記第２描画オブジェクトの一方が地図情報に関する描画オブジェクトであり、他方が、地図情報とともに用いられて特定のタスクを達成させるタスク情報に関する描画オブジェクトであり、前記制御部が、前記第１描画画面および前記第２描画画面の一方に対し他方をスライドさせることによって、前記第１描画画面および前記第２描画画面の重なり具合を連続的に変化させ、前記第２描画画面が前記第１描画画面より小さい場合、前記全重ね状態とは、前記第１描画画面の所定範囲において、前記第２描画画面の全体が重なった状態であるにより、描画画面における描画オブジェクト間の関係性の把握を容易にすることを可能とする。
【００１３】
この発明の目的、特徴、局面、および利点は、以下の詳細な説明と添付図面とによって、より明白となる。
【図面の簡単な説明】
【００１４】
【図１】地図表示装置の概念的な全体構成を示す図である。
【図２】地図表示装置の制御部の概念的な構成を示す図である。
【図３】地図表示装置の動作を説明するフローチャートである。
【図４】地図表示装置の動作を説明するフローチャートである。
【図５】地図表示装置の動作を説明する図である。
【図６】地図表示装置の動作を説明する図である。
【図７】地図表示装置の動作を説明する図である。
【図８】地図表示装置の動作を説明するフローチャートである。
【図９】地図表示装置の動作を説明する図である。
【図１０】地図表示装置の動作を説明する図である。
【図１１】地図表示装置の動作を説明するフローチャートである。
【図１２】地図表示装置の動作を説明する図である。
【図１３】地図表示装置の動作を説明する図である。
【図１４】地図表示装置の動作を説明するフローチャートである。
【図１５】地図表示装置の動作を説明する図である。
【図１６】地図表示装置の動作を説明する図である。
【図１７】地図表示装置の動作の具体例を示す図である。
【図１８】地図表示装置の動作の具体例を示す図である。
【図１９】地図表示装置の動作の具体例を示す図である。
【図２０】地図表示装置の動作の具体例を示す図である。
【図２１】地図表示装置の動作の具体例を示す図である。
【図２２】地図表示装置の動作の具体例を示す図である。
【図２３】地図表示装置の動作の具体例を示す図である。
【図２４】地図表示装置の動作の具体例を示す図である。
【図２５】地図表示装置の動作の具体例を示す図である。
【図２６】地図表示装置の動作の具体例を示す図である。
【発明を実施するための形態】
【００１５】
＜実施の形態１＞
＜構成＞
図１を参照し、実施の形態１にかかる地図表示装置の概念的な全体構成を説明する。なお、地図表示装置についてはその用途を特に限定しないが、以下の実施の形態では移動体としての車両に搭載されたカーナビゲーション装置を想定し、説明する。
【００１６】
図１に示すように地図表示装置は、ユーザの意図に沿う入力情報を受け取り、情報を表示する入力兼表示部１と、入力兼表示部１において受け取った入力情報に基づいて、入力兼表示部１における描画画面の表示動作を制御する制御部４と、制御部４における動作制御の際に、参照される地図情報、タスク情報に関する描画オブジェクト等が格納された、第１情報格納部２および第２情報格納部３とを備える。
【００１７】
描画オブジェクトは、描画画面内に表示される、道路線、文字、地形、建物、アイコン、背景色（透明、または半透明であってもよい）、付属する情報等のオブジェクトである。描画オブジェクトに含まれる背景色（背景描画オブジェクト）としては、一様に色が塗られたものに限らず、グラデーションが施されたものや、描画画面内を部分的に塗るものであってもよい。
【００１８】
入力兼表示部１は、例えばタッチパネル（タッチパネル付き表示装置）によって実現され、ユーザの表示面への接触（タッチ）を受け、表示面上におけるタッチ位置および動作等からユーザの意図を解析する。ユーザの意図として想定されるものには、表示されている描画画面に対する操作や、経路探索指示、内蔵されるオーディオ機器等に対する操作等がある。描画画面に対する操作とは、例えば縮尺の変更や、表示する地図上の位置の変更（スクロール）、現在位置周辺の情報検索、当該情報の比較等である。
【００１９】
第１情報格納部２および第２情報格納部３は、地図情報、タスク情報に関する描画オブジェクト等を格納する。地図情報に関する描画オブジェクトの具体例としては、地形等を示す地図データ、当該地図上の位置に対応付けられた道路データ、建物データ（図形、形状）、背景色データ等を格納している。ここで建物データとは、建物自体の立体形状や、種別、名称等を示すデータである。タスク情報に関する描画オブジェクトの具体例としては、５０音検索データ、簡略路線データ等を格納している。どちらの格納部がどちらの情報を格納していてもよい。なお、第１情報格納部および第２情報格納部３に格納される情報は、地図情報、タスク情報に関する描画オブジェクトに限られるものではなく、入力兼表示部１に表示するための様々な情報を格納することができる。
【００２０】
第１情報格納部２および第２情報格納部３は、具体的には、ハードディスクドライブやメモリーカード、ＤＶＤやブルーレイディスク等で実現される。
【００２１】
制御部４は、地図表示装置に備えられる各機能部を制御し、入力兼表示部１に描画画面を表示させる。図１に示すように、ユーザからの入力情報を解析することによって、描画画面の作成に必要となる、地図情報、タスク情報に関する描画オブジェクトに関する抽出条件を形成する。例えば、制御部４が入力情報を解析して、ユーザの意図が「周辺施設の情報の検索」であった場合に、現在位置周辺の一般道路の地図情報の描画オブジェクトと、現在位置周辺の施設名を５０音検索するタスク情報の描画オブジェクトとを抽出する条件を形成することができる。
【００２２】
さらに制御部４は、当該抽出条件に基づいて第１情報格納部２および第２情報格納部３から地図情報、タスク情報に関する描画オブジェクトをそれぞれ抽出し、入力兼表示部１に所望の態様で表示させる。制御部４は、具体的にはコンピュータ（ＣＰＵ）とそのプログラムで実現されるものである。
【００２３】
図２は、図１に示す地図表示装置の構成において、特に制御部４の概念的構成を詳細に示したものである。
【００２４】
入力兼表示部１から入力された入力情報を解析する入力解析部４０１と、入力解析部４０１における解析結果に基づいて、第１情報描画部４０３および第２情報描画部４０５、合成描画部４０７を制御し、入力兼表示部１に描画画面を表示させる全体制御部４０２と、第１情報格納部２において格納された描画オブジェクトである第１描画オブジェクトを抽出し、第１描画画面保持部４０４に、当該第１描画オブジェクトによる描画画面である第１描画画面を描画する第１情報描画部４０３と、第２情報格納部３において格納された描画オブジェクトである第２描画オブジェクトを抽出し、第２描画画面保持部４０６に、当該第２描画オブジェクトによる描画画面である第２描画画面を描画する第２情報描画部４０５と、第１描画画面を保持する第１描画画面保持部４０４と、第２描画画面を保持する第２描画画面保持部４０６と、第１描画画面と第２描画画面とを合成した合成描画画面を、合成描画画面保持部４０８に描画する合成描画部４０７と、合成描画部４０７で作成した合成描画画面を保持する合成描画画面保持部４０８とを備える。合成描画画面保持部４０８に保持された合成描画画面は、描画画面として入力兼表示部１において表示される。
【００２５】
ここで、第１描画オブジェクトおよび第２描画オブジェクトのうちの少なくとも一方は地図情報に関する描画オブジェクトであるが、他方にはタスク情報に関する描画オブジェクトが含まれていてもよい。
【００２６】
入力解析部４０１は、ユーザの意図による入力情報を解析する。すなわち、描画画面表示内容とユーザが表示面にタッチした位置や動作等の条件を解析し、ユーザの意図に沿う操作（機器操作等）を識別する。ここで、ユーザのタッチパネル操作には、従来からある単なるアイコンをタッチする単純タッチ操作（通常タッチ操作）と、動きのある「ジェスチャー操作」すなわち、後述の「引きずり操作」や「飛ばし操作」等がある。
【００２７】
全体制御部４０２では、当該解析結果に基づいて必要となる地図情報、タスク情報に関する描画オブジェクトを特定し、第１情報描画部４０３に、第１情報格納部２から第１描画オブジェクトを抽出させ、第２情報描画部４０５に、第２情報格納部３から第２描画オブジェクトを抽出させる。
【００２８】
第１情報描画部４０３は、抽出した第１描画オブジェクトから第１描画画面を形成し、第１描画画面保持部４０４（メモリ部）に描画する。
【００２９】
第２情報描画部４０５は、抽出した第２描画オブジェクトから第２描画画面を形成し、第２描画画面保持部４０６（メモリ部）に描画する。
【００３０】
第１情報描画部４０３および第２情報描画部４０５では、例えば、車両の現在位置データ、経路探索動作によって得られた車両の目的地までの経路データ等の、装置内で生成された情報についても、それぞれで形成した描画画面（第１描画画面、第２描画画面）に付加して、対応する描画画面保持部に描画することができる。
【００３１】
さらに全体制御部４０２では、第１描画画面保持部４０４に保持された第１描画画面と第２描画画面保持部４０６に保持された第２描画画面とを合成描画部４０７に合成させ、合成描画画面保持部４０８（メモリ部）に描画させる。合成描画画面は、合成描画画面保持部４０８（メモリ部）において保持された後、入力兼表示部１において表示される。
【００３２】
合成描画部４０７は、第１描画画面と第２描画画面とが、それぞれの描画内容を保持したまま、全部あるいは部分的に重なって表示されるように合成し、合成描画画面とする。第１描画画面と第２描画画面とが重なって表示されることで、そのうち下の描画画面の描画オブジェクトが、上の描画画面の描画オブジェクトにマスクされる（上の描画画面の描画オブジェクトの表示によって、下の描画画面の描画オブジェクトが非表示となる）ことになる。
【００３３】
重なって表示される部分は、通常は上に重なっている描画画面の描画オブジェクトが見える状態となっているが、重なり具合を制御することにより、下に表示されている描画画面の描画オブジェクトを見ることができる。なお、ここでいう「上下」とは、表示面の法線方向における上下であり、より手前側を「上」とするものであるが、実際には描画画面のデータを概念的に重ねているものである。
【００３４】
合成される第１描画画面および第２描画画面はそれぞれ、あらかじめ設定された第１注目点、第２注目点を有することができる。
【００３５】
ここで第１注目点および第２注目点とは、ユーザが描画画面上で特に注目する点を指し、ユーザが第１描画画面と第２描画画面との双方を参照する際に比較対象とする点として主観的に定義される点である。例えば、車両の周辺地図における車両の現在位置、目的地周辺地図における目的地の位置である。
【００３６】
合成される描画画面それぞれに表示される描画オブジェクト間には、所定の関連性を有することができる。所定の関連性としては、車両の地図上の位置が一致または近傍であることによる関連、車両の現在位置と目的地との間等の移動経路上の関連、同車両の現在の走行路と過去の走行履歴といった時間的関連等がある。
【００３７】
描画画面を重ねる順序は、ユーザの意図に沿うように、例えば、描画オブジェクトの組み合わせごとに決定することができる。また、重ねる順序の変更も随時可能である。特定の組み合わせには、特定の上下関係を定義してもよい。
【００３８】
＜動作＞
次に、実施の形態１にかかる地図表示装置の動作の概要について説明する。
【００３９】
本発明にかかる地図表示装置は、上に重ねられる描画画面の表示位置を所定の操作で更新し、上の描画画面の描画オブジェクトと、下の描画画面の描画オブジェクトとを比較することで、複数の描画画面における描画オブジェクトの関係性を容易に把握させるものである。動作に際しては、制御部４の特に全体制御部４０２において各機能部の制御が行われる。
【００４０】
以下の説明では、上に重ねられる描画画面の表示位置を更新する所定の操作の具体的方法として、スライド方法を用いる。スライド方法とは、以下に示す、上に重ねられる描画画面全体が連続的に移動する、すなわち、上に重ねられる描画画面の描画オブジェクトがスライドに連動してスライド方向に移動する第１の方法、または、上に重ねられる描画画面の描画オブジェクトの表示を部分的に表示を切り替え、上に重ねられる描画画面の表示領域を連続的に変動（増やすまたは減らす）させていく、すなわち、上に重ねられる描画画面の描画オブジェクトの表示位置は変化させずに、下の描画画面の描画オブジェクトと重なる領域だけを変化させる第２の方法である。なお、上に重ねられる描画画面の表示位置がどのように更新されるかは、ユーザの表示面に対する操作態様や、描画画面の組み合わせに対してあらかじめなされた設定等によって変更することができる。
【００４１】
具体的な動作について、図３を参照しつつ、説明する。
【００４２】
まずステップＳＴ１０において、地図表示装置の電源を入れ、入力兼表示部１において初期画面を表示させる。初期画面は通常表示モード、すなわち、通常タッチ操作を受け付けるモードとすることができる。
【００４３】
次にステップＳＴ１１において、入力兼表示部１において初期画面に所定の操作を行い、スライド表示モードに遷移させる。ここでスライド表示モードとは、上記のスライド方法を用いて、上に重ねられる描画画面の表示位置を更新できるモードのことである。
【００４４】
当該遷移は、初期画面における、例えばタッチ操作、ボタン操作、アイコン操作、ジェスチャー操作、音声認識等によって行うことができる。
【００４５】
スライド表示モードに遷移しているか否かを確認する場合には、全体制御部４０２に格納された、モードの種類を記憶するパラメータを参照することにより行うことができる。例えば、パラメータの値が所定の閾値より大きいまたは小さいことをもって、スライド表示モードであるか否かを判断できる。パラメータの値は、ユーザからの入力に応じて変更されるものであってもよいし、あらかじめ設定した条件（車両状態や表示面における表示状態を含む）で自動的に変更されるものであってもよい。また入力兼表示部１において、当該モードであるか否かを示すアイコン等が表示されるように設定しておくと、容易にモードの確認ができ便利である。
【００４６】
スライド表示モードに遷移したら、ステップＳＴ１２において、スライド距離Ｘ０を０に設定する。
【００４７】
次にステップＳＴ１３において、第１描画画面および第２描画画面を作成する。当該作成は、上記のようにユーザの入力情報に従って、第１情報描画部４０３および第２情報描画部４０５において行う。作成した第１描画画面は第１描画画面保持部４０４に、第２描画画面は第２描画画面保持部４０６に、それぞれ描画され保持される。
【００４８】
次にステップＳＴ１４において、上に重ねられる描画画面の表示位置を更新する所定の操作（スライド操作）が行われたか否かを検出する。当該検出は、入力兼表示部１におけるジェスチャー操作等を、入力解析部４０１において解析することで行う。スライド操作を検出した場合にはステップＳＴ１５へ、スライド操作を検出しない場合にはステップＳＴ１６へそれぞれ進む。
【００４９】
次にステップＳＴ１５において、スライド操作に基づいてスライド距離Ｘ０を更新する。
【００５０】
次にステップＳＴ１６において、第１描画画面および第２描画画面において表示された描画オブジェクトを更新する。当該更新は、車両の移動等によって時々刻々変化する、描画画面内に表示される車両周辺の範囲や、描画オブジェクトとして表示される地図情報等（道路データ、建物データ、走行履歴を示すデータ等を含む）およびタスク情報等（５０音検索データ、簡略路線データ等を含む）を更新するものである。
【００５１】
次にステップＳＴ１７において、スライド距離Ｘ０に従って、上に重ねられる描画画面の表示位置を決定し、第１描画画面と第２描画画面とから合成描画画面を作成する。そして、入力兼表示部１に描画、すなわち表示する。詳細については後述する。
【００５２】
次にステップＳＴ１８において、スライド表示モードを終了する所定の操作を検出する。当該操作が検出された場合にはステップＳＴ１９へ進み、当該操作が検出されない場合にはステップＳＴ１４へ戻る。スライド表示モードの終了は、例えばタッチ操作、ボタン操作、アイコン操作、ジェスチャー操作、音声認識等によって行うことができる。
【００５３】
次にステップＳＴ１９において、通常表示モードに遷移し、ステップＳＴ１１に戻る。
【００５４】
次に、ステップＳＴ１７の詳細について、図４〜７を参照しつつ説明する。当該ステップでは合成描画画面の作成が行われるが、上に重ねた描画画面のスライド方法として、上に重ねられた描画画面全体を連続的に移動する、すなわち、上に重ねられる描画画面の描画オブジェクトがスライドに連動してスライド方向に移動する第１の方法（以下、ボードスライド）を用いて合成描画画面の作成を行う場合を説明する。特に、ボードスライドによるスライドアウト、すなわち、描画画面同士が全て重なった状態（全重ね状態）から、上に重ねた描画画面が移動し、表示面外へ出ていく方法を用いる場合を説明する。なお以下では、上に重ねる描画画面を第２描画画面とするが、逆であってもよい。
【００５５】
まずステップＳＴ４１１において、第１描画画面保持部４０４に保持された第１描画画面を合成描画画面保持部４０８に描画する。
【００５６】
次にステップＳＴ４１２において、スライド操作によって更新したスライド距離Ｘ０に従って、第２描画画面の第１描画画面への重なり位置を決定する。図５および図６に、描画画面に表示される描画オブジェクトの表示位置がそれぞれ異なる場合の、描画画面の合成方法を模式的に示す。
【００５７】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面において車両周辺の地図描画画面が、第２描画画面において５０音検索のタスク描画画面が示されている場合には、地図描画画面における車両の現在位置と、車両の現在位置周辺の施設が表示された位置とが一致するような位置にすることが望ましい。
【００５８】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００５９】
例えば、ユーザが表示面にタッチし移動した距離（図５および図６におけるスライド距離Ｘ０）をオフセットとして、第２描画画面の画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００６０】
また例えば、ユーザが表示面にタッチし移動した距離（図５および図６におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【００６１】
また例えば、ユーザが表示面にタッチしトランプを飛ばすような動作（はじくような動作）をした場合には、時間とともに増加する量（図５および図６におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００６２】
飛ばしモードでは、例えば次の条件や組み合わせで飛ばし操作を判断する。（ａ）タッチパネルにタッチした後、表示面上のある方向へ所定の速度以上で指をすばやく動かした場合、（ｂ）タッチパネルを押した後、表示面上のある方向へ予め定められた所定の速度以上で、押圧を下げて指をすばやく動かす場合、（ｃ）タッチパネルにタッチした後、表示面上のある方向へ予め定められた所定の速度以上で指をすばやく動かし、指をタッチパネルからやや離す場合である（ただし、この場合には、３次元位置を認識するタッチパルが必要である）。
【００６３】
なお、（ａ）〜（ｃ）における所定の速度として設定される速度は、それぞれの条件ごとに異なる速度であってもよい。
【００６４】
次にステップＳＴ４１３において、重なり位置、具体的には重なり開始位置に従って、第２描画画面を重ねて描画（データを上書き）する。例えば、表示面の右側へスライドアウトする場合には、第２描画画面の左端が重なり開始位置に一致するように重ねて描画する。
【００６５】
第１描画画面に重なりきらない部分（図５および図６におけるＰ２）は、表示面には表示しない。この状態においては、第２描画画面が重ならないスライド距離Ｘ０の幅の第１描画画面の第１描画オブジェクトと、第２描画画面左端から幅Ｄ１分の、第２描画画面の第２描画オブジェクト（図５および図６におけるＰ１）とが、表示面に表示されることになる。ここで図５および図６における幅Ｄ１は、合成描画画面において表示される第２描画画面の幅に相当する長さである。
【００６６】
上記のような合成描画画面の作成を順次行うことで、図７に示す動作（ボードスライドによるスライドアウト）が可能となる。図７では、描画オブジェクトＡ、描画オブジェクトＢ、描画オブジェクトＣ、第１背景描画オブジェクトを描画した第１描画画面上に、描画オブジェクトａ、描画オブジェクトｂ、描画オブジェクトｃ、第２背景描画オブジェクトを描画した第２描画画面を重ねている。仮に、第１描画画面における第１注目点を描画オブジェクトＡ、第２描画画面における第２注目点を描画オブジェクトａとする。第１背景描画オブジェクトおよび第２背景描画オブジェクトは、例えば、描画画面サイズと同一の大きさでクリーム色に塗られた長方形オブジェクトである。第２描画画面には第２背景描画オブジェクトの上に、描画オブジェクトａ、描画オブジェクトｂ、描画オブジェクトｃが描画される。
【００６７】
図７において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【００６８】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面全体がボードに乗ってスライドしたように表示される（ボードスライド）。
【００６９】
すなわち上記のスライド動作をさせた場合、図７における描画オブジェクトａ、描画オブジェクトｂ、描画オブジェクトｃが、第２背景描画オブジェクトと共にボードに乗っているように右側へ移動していく。
【００７０】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。なお、第２描画画面が第１描画画面に対して小さい画面であるときは、第２描画画面の大きさ分の第１描画画面上の領域に、第２描画画面が重なっていればよい。
【００７１】
（２ａ）および（２ｂ）の状態では、描画オブジェクトａおよび描画オブジェクトｂは表示面に表示されているが、一番右側の描画オブジェクトｃが入力兼表示部１の表示面から外れ、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。注目点が設定されている場合には、第１注目点である描画オブジェクトＡと、第２注目点である描画オブジェクトａとが双方近くに表示されることで、両描画オブジェクトの関係性の把握が容易となる（図６も参照）。またこのとき、上側の第２描画画面と下側の第１描画画面との相対位置関係が随時変化している。
【００７２】
（３ａ）および（３ｂ）の状態では、上側の第２描画画面がさらに右へ移動し、描画オブジェクトｂも入力兼表示部１の表示面から外れ、表示されなくなる。一方で描画オブジェクトＡおよび描画オブジェクトＢは表示されているが、描画オブジェクトＣは第２背景描画オブジェクトにマスクされ非表示となる。またこのとき、上側の第２描画画面と下側の第１描画画面との相対位置関係が随時変化している。
【００７３】
次に図８〜１０を参照して、ボードスライドによるスライドイン、すなわち、描画画面が重なっていない状態（全ずれ状態）から、上に重なる描画画面が表示面外から移動してきて重なり、描画画面同士が重なった状態（全重ね状態）となっていく方法を用いて合成描画画面の作成を行う場合を説明する。
【００７４】
まずステップＳＴ４３１において、第１描画画面保持部４０４に保持された第１描画画面を合成描画画面保持部４０８に描画する。
【００７５】
次にステップＳＴ４３２において、スライド操作によって更新したスライド距離Ｘ０に従って、第２描画画面の第１描画画面への重なり位置を決定する。図９および図１０に、描画画面に表示される描画オブジェクトの表示位置がそれぞれ異なる場合の、描画画面の合成方法を模式的に示す。
【００７６】
スライド距離Ｘ０が０である場合には、例えば、第２描画画面が完全に表示面外となるような位置にしておく。
【００７７】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００７８】
注目点が設定されている場合には、スライド距離Ｘ０の更新によって、第１描画画面における第１注目点と第２描画画面における第２注目点とが近づいていくように、第２描画画面の第１描画画面への重なり位置を決定されることが望ましい。
【００７９】
次にステップＳＴ４３３において、重なり位置、具体的には重なり開始位置に従って、第２描画画面を重ねて描画する。例えば、表示面の左側からスライドインする場合には、第２描画画面の右端が重なり開始位置に一致するように重ねて描画する。
【００８０】
第１描画画面に重なりきらない部分（図９および図１０におけるＰ１）は、表示面には表示しない。この状態においては、第２描画画面が重ならない幅Ｄ１の第１描画画面の第１描画オブジェクトと、第２描画画面右端からスライド距離Ｘ０分の、第２描画画面の第２描画オブジェクト（図９および図１０におけるＰ２）とが、表示面に表示されることになる。
【００８１】
次に図１１〜１３を参照して、図８〜１０における場合とは逆側からの、ボードスライドによるスライドインについて説明する。
【００８２】
まずステップＳＴ４４１において、第１描画画面保持部４０４に保持された第１描画画面を合成描画画面保持部４０８に描画する。
【００８３】
次にステップＳＴ４４２において、スライド操作によって更新したスライド距離Ｘ０に従って、第２描画画面の第１描画画面への重なり位置を決定する。図１２および図１３に、描画画面に表示される描画オブジェクトの表示位置がそれぞれ異なる場合の、描画画面の合成方法を模式的に示す。
【００８４】
スライド距離Ｘ０が０である場合には、例えば、第２描画画面が完全に表示面外となるような位置にしておく。ただし、図９および図１０における場合とは逆側（右側）の表示面外となっている。
【００８５】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００８６】
次にステップＳＴ４４３において、重なり位置、具体的には重なり開始位置に従って、第２描画画面を重ねて描画する。例えば、表示面の右側からスライドインする場合には、第２描画画面の左端が重なり開始位置に一致するように重ねて描画する。
【００８７】
第１描画画面に重なりきらない部分（図１２および図１３におけるＰ２）は、表示面には表示しない。この状態においては、第２描画画面が重ならない幅Ｄ１の第１描画画面の第１描画オブジェクトと、第２描画画面左端からスライド距離Ｘ０分の、第２描画画面の第２描画オブジェクト（図１２および図１３におけるＰ１）とが、表示面に表示されることになる。図９および図１０の場合とは、左右の並び関係が入れ替わって表示されている。
【００８８】
以上に示したスライド方法は、上に重ねる描画画面が移動し、その移動に合わせて下の描画画面が見える範囲が変化するものである。スライドの方法は上記の場合に限られず、スライドの方向、スライドする際の上の描画画面の動き等、様々なバリエーションが考えられる。
【００８９】
さらに、他のスライド方法の場合におけるステップＳＴ１７の詳細について、図１４〜１６を参照しつつ説明する。当該ステップでは合成描画画面の作成が行われるが、上に重ねた描画画面のスライド方法として、上に重ねられる描画画面の描画オブジェクトの表示を部分的に表示を切り替え、上に重ねられる描画画面の表示領域を連続的に変動（増やすまたは減らす）させていく、すなわち、上に重ねられる描画画面の描画オブジェクトの表示位置は変化させずに、下の描画画面の描画オブジェクトと重なる領域だけを変化させる第２の方法（以下、カーテンスライド）を用いて、合成描画画面の作成を行う場合を説明する。特に、カーテンスライドによるスライドアウト、すなわち、描画画面同士が重なった状態（全重ね状態）から、上に重ねた描画画面がその位置を維持しながら連続的に除去され、下にある描画画面が表示される表示領域となっていく方法を用いる場合を説明する。なお以下では、上に重ねる描画画面を第２描画画面とするが、逆であってもよい。
【００９０】
まずステップＳＴ４２１において、第１描画画面保持部４０４に保持された第１描画画面を合成描画画面保持部４０８に描画する。
【００９１】
次にステップＳＴ４２２において、スライド操作によって更新したスライド距離Ｘ０に従って、第２描画画面の第１描画画面への重なり位置を決定する。
【００９２】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面において車両周辺の地図描画画面が、第２描画画面において５０音検索のタスク描画画面が示されている場合には、地図描画画面における車両の現在位置と、車両の現在位置周辺の施設が表示された位置とが一致するような位置にすることが望ましい。
【００９３】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００９４】
例えば、ユーザが表示面にタッチし移動した距離（図１５におけるスライド距離Ｘ０）をオフセットとして、第２描画画面の除去されていく画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００９５】
また例えば、ユーザが表示面にタッチし移動した距離（図１５におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【００９６】
また例えば、ユーザが表示面にタッチしトランプを飛ばすような動作（はじくような動作）をした場合には、時間とともに増加する量（図１５におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００９７】
次にステップＳＴ４２３において、重なり位置、具体的には重なり開始位置に従って、第２描画画面を重ねて描画する。例えば、表示面の右側へスライドアウトする場合には、第２描画画面の除去されていく左端が重なり開始位置に一致するように重ねて描画する。すなわち、重なり開始位置に一致させる第２描画画面の位置は、第２描画画面において画面左端からスライド距離Ｘ０だけオフセットされた位置である。
【００９８】
第１描画画面上から除去された部分（図１５におけるＰ１）は、表示面には表示しない。この状態においては、第２描画画面が重ならないスライド距離Ｘ０の幅の第１描画画面の第１描画オブジェクトと、第２描画画面右端から幅Ｄ１分の、第２描画画面の第２描画オブジェクト（図１５におけるＰ２）とが、表示面に表示されることになる。
【００９９】
上記のような合成描画画面の作成を順次行うことで、図１６に示す動作（カーテンスライドによるスライドアウト）が可能となる。図１６では、描画オブジェクトＡ、描画オブジェクトＢ、描画オブジェクトＣを描画した第１描画画面上に、描画オブジェクトａ、描画オブジェクトｂ、描画オブジェクトｃを描画した第２描画画面を重ねている。仮に、第１描画画面における第１注目点を描画オブジェクトＢ、第２描画画面における第２注目点を描画オブジェクトｂとする。第１背景描画オブジェクトおよび第２背景描画オブジェクトは、例えば、描画画面サイズと同一の大きさでクリーム色に塗られた長方形オブジェクトである。第２描画画面には第２背景描画オブジェクトの上に、描画オブジェクトａ、描画オブジェクトｂ、描画オブジェクトｃが描画される。
【０１００】
図１６において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【０１０１】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面が表示位置を維持しながら連続的に、カーテンを引くようにスライドされて表示される（カーテンスライド）。
【０１０２】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。なお、第２描画画面が第１描画画面に対して小さい画面であるときは、第２描画画面の大きさ分の第１描画画面上の領域に、第２描画画面が重なっていればよい。
【０１０３】
（２ａ）および（２ｂ）の状態では、描画オブジェクトｂおよび描画オブジェクトｃは表示面に表示されているが、一番左側の描画オブジェクトａが入力兼表示部１の表示面から除去され、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。またこのとき、上側の第２描画画面と下側の第１描画画面との相対位置関係は維持されている。すなわち、第１注目点と第２注目点とが、表示面上において常に一致している。
【０１０４】
（３ａ）および（３ｂ）の状態では、上側の第２描画画面がさらに右まで除去され、描画オブジェクトｂも入力兼表示部１の表示面から除去され、表示されなくなる。一方で描画オブジェクトＡおよび描画オブジェクトＢは表示されているが、描画オブジェクトＣは第２背景描画オブジェクトにマスクされ非表示となる。注目点が設定されている場合には、第２注目点である描画オブジェクトｂが除去された位置に第１注目点である描画オブジェクトＢが表示されることで、両描画オブジェクトの関係性の把握が容易となる（図１５も参照）。またこのとき、上側の第２描画画面と下側の第１描画画面との相対位置関係は維持されている。
【０１０５】
また、第２背景描画オブジェクトは、単色のクリーム色として説明したが、図１６において、描画オブジェクトａ付近はクリーム色で、描画オブジェクトｃ付近はピンク色になるようにグラデーションがかかっている場合は、（１ａ）（２ａ）（３ａ）の描画オブジェクトｃ付近の描画背景色は、同一のピンクに近い色である。
【０１０６】
以上に示したスライド方法は、上に重ねられる描画画面の表示位置を維持しながら連続的に表示を切り替え、その表示領域を変動させることで下の描画画面が見える範囲を変化させるものである。スライドの方法は上記の場合に限られず、変動が進む方向（タッチ位置を中心に広がる等）、表示切り替え時の上の描画画面の表示方法（点滅やフェード）等、様々なバリエーションが考えられる。
【０１０７】
また、以上に示したスライド方法は、ユーザが第２描画画面が表示されているエリアのどこをタッチ等して操作してもスライド操作できたが、スライド操作を受け付ける第２描画画面が表示されている範囲を限定しても良い。例えば、第２描画画面が表示されている境界近傍でスライドを示すジェスチャーをした場合に第２描画画面のスライドを受けるように構成しても良い。
【０１０８】
また、スライド操作を受け付ける、第２描画画面上のエリアをアイコン等で表示しても良い。この場合、引きずり操作、飛ばし操作、単なるタッチ操作による通常の操作遷移を並存して受けつけることが可能となり、使い勝手の良い装置を提供することができる。
【０１０９】
また、上記の実施例では、第２背景描画オブジェクトを描画画面と同一の大きさのクリーム色の矩形オブジェクトとしたが、矩形に拘るものではなく、台形や、楕円形、穴あきオブジェクトであってもよいし、色彩も淡色ではなくグラデーションや、模様があってもよく、ユーザにとってデザインの良い表示を提供できる。
【０１１０】
また、上記の実施例では、第１描画オブジェクトおよび第２描画オブジェクトはそれぞれ第１情報格納部２および第２情報格納部３に格納されているとして説明したが、全体制御部４０２が、ソフトウェア処理により双方または一方の描画オブジェクトを生成しても良い。例えば、自車位置マークなどは、全体制御部４０２がプログラムで作成しても良い。また、双方もしくは一方の背景描画オブジェクトを、全体制御部４０２がソフトウェア処理で生成してもよい。
【０１１１】
また、上記の実施例では、矩形の描画オブジェクトである背景描画オブジェクトを描画画面にレンダリングする方法を説明したが、背景描画オブジェクトの生成方法は、この方法に限るものではなく、例えば、描画画面そのものが背景描画オブジェクトに相当する背景色を生成する機能を有する場合は、全体制御部４０２がソフトウェア処理によって第１描画画面保持部４０４および第２描画画面保持部４０６の背景色を設定してよい。
【０１１２】
また、ハードウェア構造もしくはソフトウェア処理上、第１描画画面および第２描画画面の背景色の設定を合成描画部４０７が入力して生成する場合は、全体制御部４０２がソフトウェア処理によって、それぞれの背景色を設定しても良い。
【０１１３】
本発明でいう描画オブジェクトは、上記のようなソフトウェア処理によって最終的に入力兼表示部１に表示される表示物も含む概念である。
【０１１４】
＜具体例＞
以下は、上記のスライド方法を用いた動作の、具体例である。なお、具体例においてボードスライドを図示している場合でも、カーテンスライド等の他の方法を適用することもできる。
【０１１５】
図１７では、道路の平面地図が第１描画画面、周辺施設の５０音検索のタスク情報を表示したタスク描画画面が第２描画画面であり、平面地図の上に、タスク描画画面が重ねられる。この例では第２背景描画オブジェクトは透明であるが、図１７においては、第１背景描画オブジェクトとの差異を明確にするため、第２背景描画オブジェクトに色をつけている。
【０１１６】
タスク描画画面にタッチし、表示面上の指を移動させることでタスク描画画面をスライドさせ（ボードスライドによるスライドイン）、平面地図の描画オブジェクトに、タスク描画画面の描画オブジェクトをマスクさせることができる（図１７（ｂ））。このように、例えば、現在位置の平面地図と、現在位置の周辺施設の検索結果を重ねて表示し、平面地図における現在位置等との関係性を容易に把握することができる。よって、タスク情報に関する描画オブジェクトと地図情報に関する描画オブジェクトとから、タスクの実行および達成が実現できる。
【０１１７】
図１７（ａ）の状態で、平面地図が表示面全体に対応している場合、タスク描画画面を表示面の外に位置し完全に表示させないこともできるが、タスク描画画面の左端部分が、例えば音声認識等の所定の操作で平面地図の右端部分に表示されるようにしておけば、その部分を使って上記のスライド方法を容易に行うことができる。
【０１１８】
図１７（ｂ）の状態で、タスク描画画面の重なることができる範囲に制限値を設定しておいてもよい。すなわち、どこまで重ねるかの上限境界を設定しておいてもよい。
【０１１９】
タスク描画画面における操作、例えば施設名の選択等を行うことで、平面地図における表示範囲を連動して変更させる（例えば、選択した施設を中心に表示する）ことも可能である。
【０１２０】
図１８〜図２６では、道路の平面地図が第１描画画面、簡略化した路線図を表示したタスク描画画面が第２描画画面であり、平面地図の上に、タスク描画画面が重ねられる。図１９〜図２６では、説明を分かりやすくするために、第１背景描画オブジェクトおよび第２背景描画オブジェクトの色彩が異なるものとして図示したが、これに拘るものではない。
【０１２１】
図１８の状態では、車両の現在位置を中心とした平面地図のみが表示面に表示され、タスク描画画面は表示されていない。ここで例えば音声認識により作成操作を行うことで、特定のタスクを達成するための描画画面がそれぞれ抽出される。
【０１２２】
図１９の状態では、平面地図が表示面全体に対応しており、タスク描画画面の左端部分（スレッド）が平面地図の右端部分に表示されている。タスク描画画面の左端部分（スレッド）を使って、上記のスライド方法を容易に行うことができる。
【０１２３】
図２０の状態では、タスク描画画面にタッチしスライドさせている（ボードスライドによるスライドイン）。この動作によって、タスク情報に関する描画オブジェクトを地図情報に関する描画オブジェクトに重ねて表示することができる。
【０１２４】
図２１の状態では、タスク描画画面においてＡ駅を選択したことで、平面地図における表示範囲を連動して変更させている（Ａ駅が中心となるような表示に変更している）。
【０１２５】
図２２および図２３の状態では、さらにタスク描画画面をスライドさせることで、平面地図とタスク描画画面との重なり具合を変更し、目的に応じて、平面地図の表示領域を大きくしたり（図２２）、タスク描画画面の表示領域を大きくしたりしている（図２３）。
【０１２６】
図２２の状態では、Ａ駅を検索するというタスクが平面地図およびタスク描画画面によって達成されている。すなわち、タスク描画画面で「Ａ駅」を選択し、当該選択に連動して平面地図における表示範囲が変更され、簡略化した路線図におけるＡ駅が地図上に表示されている。平面地図とタスク描画画面とが重なり、地図上のＡ駅と、簡略化した路線図上のＡ駅とが表示されることによって、両描画画面における描画オブジェクトの関係性が容易に把握できる。なお、この具体例ではタスク描画画面における選択に連動して平面地図が決定しているが、合成描画画面の作成目的となるタスク（「Ａ駅の検索」）が、合成前に存在していれば、その作成目的に従って、平面地図およびタスク描画画面が一度に作成されてもよい。すなわち、タスク描画画面における操作に連動する必要はなく、作成操作に従ってそれぞれの描画画面が作成されればよい。
【０１２７】
図２３の状態では、次のタスク（「Ｂ駅の検索」）に必要となる、タスク描画画面におけるＢ駅の選択のため、タスク描画画面の表示領域を大きくしている。
【０１２８】
図２４および図２５の状態では、タスク描画画面においてＢ駅を選択したことで（図２４）、Ｂ駅が中心となるような表示に変更している（図２５）。
【０１２９】
図２６の状態では、Ｂ駅を検索するというタスクが平面地図およびタスク描画画面によって達成されている。すなわち、タスク描画画面で「Ｂ駅」を選択し、当該選択に連動して平面地図における表示範囲が変更され、簡略化した路線図におけるＢ駅が地図上に表示されている。平面地図とタスク描画画面とが重なり、地図上のＢ駅と、簡略化した路線図上のＢ駅とが表示されることによって、両描画画面における描画オブジェクトの関係性が容易に把握できる。
【０１３０】
＜変形例＞
上記の入力兼表示部１は、ユーザの入力情報を受け取る入力部と、受け取った入力情報や制御部４による動作制御に基づく描画画面を表示する表示部とが一体となった構成であるが、これらの機能を実現する構成が別々に備えられるものであってもよい。また、表示する情報は、描画画面における描画オブジェクトに限らず、ユーザの要望に応じた様々な情報を表示することが可能である。
【０１３１】
なお、本実施の形態のようにタッチパネルを用い、ジェスチャー操作によって描画画面の重なりを変動させれば、操作が容易である。すなわち、従来の地図表示装置の制御は、タッチパネルに表示された操作アイコンをタッチすることや、機械的なスイッチやダイアル操作によって行われており、必ずしも使い勝手の良いユーザインタフェースではなかったが、本発明のように、いわゆるスマートフォン等と呼ばれる、タッチパネルを有する携帯端末に代表されているようなジェスチャー操作を用いることによって、使い勝手の良いユーザインタフェースを実現できる。
【０１３２】
よって、例えば車両に搭載された地図表示装置の操作を行う場合のような、操作時間に限りがある場合等に有効である。さらに、重なりの変動の自由度（移動方向や導入除去の際の効果等）が高く、ユーザの娯楽的な要素も含めた要求に応えることができる。
【０１３３】
また、タッチパネル等の操作に慣れたユーザが親しみやすい入力モードを提供できる。
【０１３４】
また、入力兼表示部１は、通常のタッチパネルに限らず、静電容量検出型のタッチパネルを用いて、指の近接および接触を検知可能な３次元タッチパネルであってもよい。
【０１３５】
上記の第１情報格納部２および第２情報格納部３は、図１に示すように別の記憶媒体であってもよいし、１つの記憶媒体に双方が含まれる場合であってもよい。また、外部に備えられた記憶媒体と通信することによって、地図情報、タスク情報に関する描画オブジェクト等を取得する場合であってもよい。
【０１３６】
また、本実施の形態におけるスライド方法は例示であり、上記のスライド表示モードにおいて、スライド方法以外の方法による描画画面の更新が可能であってもよい。
【０１３７】
また、車両に搭載された地図表示装置を用いて特定のタスクを達成するような場合、走行操作制限等を掛けても良い。例えば、車両の走行時は描画画面のスライドや、タスク描画画面の操作を不能としてもよい。また、操作不能であることを、画面の色の変化により示すことも可能である。
【０１３８】
また、上に重ねられる地図とその下の地図とは、その縮尺が一致しなくともよい。また、上の描画画面および下の描画画面は、その描画画面の大きさが一致しなくともよい。なお描画画面は、表示面全体にかかる大きさである必要はない。
【０１３９】
これらのタスク情報に関する描画オブジェクトを表示した描画画面は、文字に関する描画オブジェクトが、透明な描画画面上に表示されるものであってもよい。なお、第１描画画面および第２描画画面に表示される描画オブジェクトは、互いに入れ替え可能である。
【０１４０】
下の描画画面に表示された描画オブジェクトのうち、上の描画画面と共通する設定等を表示する情報に関する描画オブジェクトは、上の描画画面の更新とは無関係に表示しておいてもよい。
【０１４１】
また、重ねられる描画画面は２つに限らず、３つ以上であってもよい。３つ以上重ねる場合には、１つの描画画面と、他の２つの描画画面のうち少なくとも一方との重なり部分で、１つの描画オブジェクトが、他の少なくとも１つの描画オブジェクトをマスクする。また、１つの描画画面をスライド操作した場合に、他の描画画面とは独立してスライドしてもよいが、他のいずれかの描画画面が従属してスライドしてもよい。
【０１４２】
＜効果＞
本発明にかかる実施の形態によれば、地図表示装置において、ユーザの描画画面表示に関する操作入力を受け付け、第１描画画面の地図情報に関する第１描画オブジェクト、および、第２描画画面の第２描画オブジェクトを表示する入力兼表示部１と、入力兼表示部１で受け付けたユーザの操作入力に応じて、第１描画画面および第２描画画面の重なり具合を制御し、第１描画画面および第２描画画面の重なり部分では、第１描画オブジェクトおよび第２描画オブジェクトの一方が他方をマスクして入力兼表示部１に出力する制御部４とを備えることで、描画画面における描画オブジェクト間の関係性の把握を容易にすることを可能とする。すなわち、一方が他方をマスクすることで、関係性を把握したい描画オブジェクト以外の描画オブジェクトの表示を抑制したり、マスクを解除して描画オブジェクトと表示させることで、関係性を把握したい描画オブジェクトを近い表示領域で表示させたりすることができる。
【０１４３】
また、本発明にかかる実施の形態によれば、地図表示装置において、第１描画オブジェクトおよび第２描画オブジェクトの一方が地図情報に関する描画オブジェクトであり、他方が、地図情報とともに用いられて特定のタスクを達成させるタスク情報に関する描画オブジェクトであることで、地図情報に関する描画オブジェクトとタスク情報に関する描画オブジェクトとの関係性の把握し、特定のタスクを容易に実行することができる。
【０１４４】
また、本発明にかかる実施の形態によれば、地図表示装置において、制御部４が、タスク情報を表示するタスク描画画面における操作に連動させて、地図情報を表示する地図描画画面の描画オブジェクトを制御することで、例えば平面地図と、簡略化した路線図とを第１描画画面および第２描画画面として重ねて表示する場合に、路線図において駅を示す描画オブジェクト（タスク情報に関する描画オブジェクト）の選択操作に連動して、その駅の描画オブジェクトを中心とする表示範囲の平面地図を表示させることができ、互いの描画オブジェクト（地図情報に関する描画オブジェクトとタスク情報に関する描画オブジェクト）の関係性を容易に把握できる。よって、タスク達成が容易に実現できる。
【０１４５】
また、本発明にかかる実施の形態によれば、地図表示装置において、制御部４が、第１描画画面および第２描画画面の一方に対し他方をスライドさせることによって、第１描画画面および第２描画画面の重なり具合を連続的に変化させることで、第１描画オブジェクトとの関係性を把握したい第２描画オブジェクトを、第１描画画面上を連続的に変化させながら表示することができ、第１描画オブジェクトと第２描画オブジェクトとを見比べることが容易となる。
【０１４６】
また、本発明にかかる実施の形態によれば、地図表示装置において、スライドに、描画画面上の描画オブジェクトが、描画画面のスライドに連動してスライド方向に移動するボードスライドと、入力兼表示部１に表示される描画オブジェクトの位置が変化しないカーテンスライドとを含むことで、描画画面における描画オブジェクト間の関係性の把握を容易にすることを可能とする。
【０１４７】
特に、第２描画画面の描画オブジェクトが描画画面のスライドに連動してスライド方向に移動することで、第１描画オブジェクトとの関係性を把握したい第２描画オブジェクトを、当該第１描画オブジェクト近傍において連続的に移動させながら表示することができ、第１描画オブジェクトと第２描画オブジェクトとを見比べることが容易となる。すなわち、第１描画オブジェクトと第２描画オブジェクトとの関係性を把握する際に、ユーザがそれぞれの特徴等を記憶して比較する手間が省ける。
【０１４８】
また、入力兼表示部１に表示される描画オブジェクトの位置を変化させず、すなわち、第２描画画面の描画オブジェクトの、第１描画画面の描画オブジェクトに対する位置関係を変化させないでスライドすることで、第１描画オブジェクトとの関係性を把握したい第２描画オブジェクトを、常に当該第１描画オブジェクト直上に表示させておくことができ、第２描画オブジェクトによる重なりを除去した位置には、対応する第１描画オブジェクトが表示されるようにすることができるので、第１描画オブジェクトと第２描画オブジェクトとの関係性の把握が容易となる。
【０１４９】
また、本発明にかかる実施の形態によれば、地図表示装置において、第１描画オブジェクトと第２描画オブジェクトとが、車両（移動体）の地図上の位置、車両の移動経路、車両の目的地のいずれかに関連する情報であることで、例えば車両の現在位置周辺の平面地図と、現在位置周辺の施設の５０音検索結果を表示した地図とを重ね表示することができ、その重なり具合を制御することで車両の現在位置の地図情報に関する描画オブジェクトと施設の情報に関する描画オブジェクトとを容易に比較することができるので、利便性が高まる。
【０１５０】
また、例えば車両の現在位置周辺の平面地図と、設定された移動経路上のある地点周辺の施設の５０音検索結果を表示した地図とを重ね表示することができ、その重なり具合を制御することで車両の現在位置の地図情報に関する描画オブジェクトと移動経路上の地点周辺の施設の情報に関する描画オブジェクトとを容易に比較することができるので、経路変更等の判断材料として利用できる。
【０１５１】
また、例えば車両の現在位置周辺の平面地図と、設定された目的地周辺の施設の５０音検索結果を表示した地図とを重ね表示することができ、その重なり具合を制御することで車両の現在位置の地図情報に関する描画オブジェクトを取得しつつ目的地における施設の情報に関する描画オブジェクトを容易に参照することができるので、目的地に到着した後の予定等の検討材料として利用できる。
【０１５２】
また、本発明にかかる実施の形態によれば、地図表示装置において、第１描画画面はあらかじめ設定された第１注目点を有し、第２描画画面はあらかじめ設定された第２注目点を有し、第１描画画面および第２描画画面の重なり具合の制御に際し、第１注目点の表示位置と第２注目点の表示位置とが常に一致している（カーテンスライド等）、または、所定の重なり具合の場合にのみ第１注目点の表示位置と第２注目点の表示位置とが一致する（ボードスライド等）ことで、ユーザが関係性を把握したい注目点同士を表示面上の近い位置で表示、またはどちらか一方だけを表示することができるので、これらの関係性の把握が容易となる。
【０１５３】
また、本発明にかかる実施の形態によれば、地図表示装置において、第２描画画面が第１描画画面より小さい場合、全重ね状態とは、第１描画画面の所定範囲において、第２描画画面の全体が重なった状態であることで、第２描画オブジェクトが、対応する第１描画オブジェクトをすべてマスクした状態を実現することができる。
【０１５４】
また、本発明にかかる実施の形態によれば、地図表示方法において、第１描画画面は、少なくとも１つの第１描画オブジェクトを表示し、第２描画画面は、少なくとも１つの第２描画オブジェクトを表示し、前記第１描画オブジェクトおよび前記第２描画オブジェクトのうち少なくとも一方が地図情報に関する描画オブジェクトを含み、第１描画画面および第２描画画面は、同じまたは異なる大きさであって、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けたユーザの操作入力に応じて、第１描画画面および第２描画画面の重なり具合を制御し、第１描画画面および第２描画画面の重なり部分では、第１描画オブジェクトおよび第２描画オブジェクトの一方が他方をマスクするステップとを備えることで、描画画面における描画オブジェクト間の関係性の把握を容易にすることを可能とする。
【０１５５】
なお本発明は、その発明の範囲内において、本実施の形態における任意の構成要素の変形もしくは省略が可能である。
【０１５６】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１５７】
１  入力兼表示部、２  第１情報格納部、３  第２情報格納部、４  制御部、４０１  入力解析部、４０２  全体制御部、４０３  第１情報描画部、４０４  第１描画画面保持部、４０５  第２情報描画部、４０６  第２描画画面保持部、４０７  合成描画部、４０８  合成描画画面保持部。
【図１】
0005875605.tif 000002
【図２】
0005875605.tif 000003
【図３】
0005875605.tif 000004
【図４】
0005875605.tif 000005
【図５】
0005875605.tif 000006
【図６】
0005875605.tif 000007
【図７】
0005875605.tif 000008
【図８】
0005875605.tif 000009
【図９】
0005875605.tif 000010
【図１０】
0005875605.tif 000011
【図１１】
0005875605.tif 000012
【図１２】
0005875605.tif 000013
【図１３】
0005875605.tif 000014
【図１４】
0005875605.tif 000015
【図１５】
0005875605.tif 000016
【図１６】
0005875605.tif 000017
【図１７】
0005875605.tif 000018
【図１８】
0005875605.tif 000019
【図１９】
0005875605.tif 000020
【図２０】
0005875605.tif 000021
【図２１】
0005875605.tif 000022
【図２２】
0005875605.tif 000023
【図２３】
0005875605.tif 000024
【図２４】
0005875605.tif 000025
【図２５】
0005875605.tif 000026
【図２６】
0005875605.tif 000027